(57)【要約】サーバから受信中のコンテンツの関連情報をより正確に取得する。通信装置１は、ネットワーク３０を介して受信中のコンテンツの関連情報を要求する要求情報を特定間隔で連続的に送信し（Ｓ１）、その要求情報に対応する関連情報を受信し（Ｓ２）、一時的に記憶し（Ｓ３）、表示して（Ｓ４）、コンテンツ更新処理を実行する。ここで、コンテンツの関連情報を保管する指示が入力されたときには、通信装置１は、コンテンツ更新処理とは別に改めてコンテンツの関連情報の要求情報を要求する（Ｓ１０）。そして、その要求情報に対応する関連情報を受信し（Ｓ１１）、保管する（Ｓ１３）。これにより、コンテンツに関連する関連情報のうち最新の関連情報をより正確に取得することが可能になり、更新されていない関連情報を取得することが少なくなる。
2005006613.tif 000002
【特許請求の範囲】
【請求項１】
受信中の放送番組内のコンテンツに関連する関連情報を要求する要求情報を特定間隔で連続的に送信する第１の送信ステップと、
上記第１の送信ステップで送信された要求情報に対応する関連情報を受信する第１の受信ステップと、
上記第１の受信ステップで受信された関連情報を一時記憶手段に一時的に記憶する一時記憶ステップと、
上記一時記憶ステップで一時的に記憶された関連情報を表示する表示ステップと、
上記コンテンツの関連情報の保管を指示する入力に応じて上記コンテンツの関連情報を要求する要求情報を送信する第２の送信ステップと、
上記第２の送信ステップで送信された要求情報に対応する関連情報を受信する第２の受信ステップと、
上記第２の受信ステップで受信された関連情報を保管手段に保管する保管ステップと、
を備えることを特徴とする通信方法。
【請求項２】
上記第２の受信ステップで受信された関連情報を上記保管手段に保管する上記保管ステップにおいては、上記第２の受信ステップで受信された関連情報を上記一時記憶手段を介して上記保管手段に保管することを特徴とする請求の範囲第１項に記載の通信方法。
【請求項３】
端末装置が、受信中の放送番組内のコンテンツに関連する関連情報を要求する要求情報を特定間隔で連続的に送信する第１の端末送信ステップと、
上記関連情報を提供するサーバが、上記要求情報に応じた関連情報を上記端末装置に対して送信する第１のサーバ送信ステップと、
上記端末装置が、上記第１のサーバ送信ステップにより送信された関連情報を受信する第１の端末受信ステップと、
上記端末装置が、上記第１の端末受信ステップで受信された関連情報を一時記憶手段に一時的に記憶する一時記憶ステップと、
上記端末装置が、上記一時記憶ステップで一時的に記憶された関連情報を表示する表示ステップと、
上記端末装置が、上記コンテンツの関連情報の保管を指示する入力に応じて上記コンテンツの関連情報を要求する要求情報を送信する第２の端末送信ステップと、
上記サーバが、上記第２の端末送信ステップで送信された要求情報に対応する関連情報を上記端末装置に対して送信する第２のサーバ送信ステップと、
上記端末装置が、上記第２のサーバ送信ステップで送信された関連情報を保管手段に保管する保管ステップと、
を備えることを特徴とする通信方法。
【請求項４】
上記サーバは、認証機能を有する認証サーバと、関連情報を提供する関連情報提供サーバとに分かれており、
上記第１の端末送信ステップにおいて、上記端末装置は、受信中の放送番組内のコンテンツに関連する関連情報を要求する要求情報を、上記関連情報提供サーバとのセッションＩＤであるサービスセッションＩＤと共に上記関連情報提供サーバに送信し、
上記関連情報提供サーバが、上記サービスセッションＩＤにより認証処理を行い、認証エラーのとき、認証エラーを示す情報と当該関連情報提供サーバを識別するサービス識別情報を上記端末装置に送信し、
上記端末装置は、上記認証エラーを示す情報と、サービス識別情報とを受信し、
上記端末装置は、上記関連情報提供サーバへアクセスするための認証チケットの発行を要求する認証チケット発行要求情報を、上記認証サーバに、当該認証サーバとのセッションＩＤである認証セッションＩＤと共に送信し、
上記認証サーバが、上記認証セッションＩＤを認証処理し、認証を許可するとき、認証チケットを発行すると共に上記端末装置に送信し、
上記端末装置は、上記関連情報提供サーバに対して認証要求情報を上記認証チケットと共に送信し、
上記関連情報提供サーバは、受信された認証チケットを上記認証サーバに送信し、
上記認証サーバは上記認証チケットが正当であると認証したとき認証許可を示す情報を上記関連情報提供サーバに送信し、
上記関連情報提供サーバは、上記認証許可を示す情報を受信すると、上記端末装置とのセッションＩＤであるサービスセッションＩＤを発行し、上記端末装置に送信し、
上記端末装置は、上記第１の端末送信ステップと同様に、上記関連情報を要求する要求情報を、上記受信されたサービスセッションＩＤと共に、上記関連情報提供サーバに送信し、
上記関連情報提供サーバは、上記サービスセッションＩＤにより認証処理を行い、認証を許可するとき、上記第１のサーバ送信ステップと同様に、上記要求情報に応じた関連情報を上記端末装置に対して送信する。
ことを特徴とする請求の範囲第３項に記載の通信方法。
【請求項５】
上記認証サーバが、上記認証セッションＩＤを認証処理し、認証エラーのとき、認証エラーを示す情報を上記端末装置に送信し、
上記端末装置は、上記認証エラーを示す情報を受信すると、ユーザＩＤとパスワードを上記認証サーバに送信し、
上記認証サーバは、上記ユーザＩＤとパスワードに基づき認証処理し、認証を許可するとき、認証サーバとのセッションＩＤである認証セッションＩＤを発行すると共に上記端末装置に送信した後に、
上記端末装置は、上記認証チケット発行要求情報を、上記認証セッションＩＤと共に、上記認証サーバに送信する
ことを特徴とする請求の範囲第４項に記載の通信方法。
【請求項６】
受信中の放送番組内のコンテンツに関連する関連情報を要求する要求情報を特定間隔で連続的に送信する第１の送信手段と、
上記第１の送信手段によって送信された要求情報に対応する関連情報を受信する第１の受信手段と、
上記第１の受信手段によって受信された関連情報を一時的に記憶する一時記憶手段と、上記一時記憶手段によって記憶された関連情報を表示する表示手段と、
上記コンテンツの関連情報の保管を指示する入力に応じて上記コンテンツの関連情報を要求する要求情報を送信する第２の送信手段と、
上記第２の送信手段によって送信された要求情報に対応する関連情報を受信する第２の受信手段と、
上記第２の受信手段によって受信された関連情報を保管する保管手段と、
を備えることを特徴とする通信装置。
【請求項７】
上記第２の受信手段によって受信された関連情報は、上記一時記憶手段を介して上記保管手段に保管される
ことを特徴とする請求の範囲第６項に記載の通信装置。
【請求項８】
上記一時記憶手段は、揮発性の記憶媒体である
ことを特徴とする請求の範囲第６項に記載の通信装置。
【請求項９】
上記保管手段は、不揮発性の記憶媒体である
ことを特徴とする請求の範囲第６項に記載の通信装置。
【請求項１０】
コンピュータに、
受信中の放送番組内のコンテンツに関連する関連情報を要求する要求情報を特定間隔で連続的に送信させ、
送信された要求情報に対応する関連情報を受信させ、
受信された関連情報を一時記憶手段に一時的に記憶させ、
上記一時記憶手段に一時的に記憶された関連情報を表示させ、
上記コンテンツの関連情報の保管を指示する入力に応じて上記コンテンツの関連情報を要求する要求情報を送信させ、
上記コンテンツの関連情報の保管を指示する入力に応じて送信された要求情報に対応する関連情報を受信させ、
上記コンテンツの関連情報の保管を指示する入力に応じて送信された要求情報に対応する受信された関連情報を保管手段に保管させる処理を実行させる
ことを特徴とするプログラム。
【発明の詳細な説明】
【技術分野】  本発明は通信方法、通信装置およびプログラムに関し、特にネットワークを介して提供されている情報から必要な情報を正確に取得するための通信方法、通信装置およびプログラムに関する。
【背景技術】  ラジオ局やテレビ（ＴＶ）局（以下、単に「放送局」という。）は、様々な番組を放送しており、視聴者は、各放送局から送信される所定周波数の放送信号を、周波数を選択してラジオ受信機やＴＶ受像機で受信することによって、番組を視聴する。近年、放送局は、ネットワーク上で各放送局固有の情報を公開しており、視聴者に対し、放送された番組に関する情報、例えば放送された番組内容や番組内で放送された楽曲に関する情報などを提供している。
特にラジオ局が放送する楽曲については、曲名やアーティスト名のほか、その楽曲が記録されているＣＤ（Ｃｏｍｐａｃｔ  Ｄｉｓｃ）等の名称や番号、発表年、発売元、放送日時等を含んだ情報がネットワーク上で公開されている。さらに、過去の一定期間内に放送された楽曲の情報も公開されている。通常、このような情報は、適当な時期に更新されていく。これまで、楽曲に関する情報は、ネットワーク接続されたパーソナルコンピュータ（ＰＣ）等を用いてユーザに取得されてきた。
また、そのような楽曲に関する情報を、ラジオ受信部と時刻記憶手段等を有する可搬の補助端末を用いて、放送された楽曲をユーザが気に入ったときに補助端末に時刻を記憶させておき、後にその時刻を基に、放送局が情報を蓄積するデータベースをＰＣ等を介して検索する検索システムも提案されている（例えば特許文献１参照）。
このように、ユーザは、楽曲に関する情報をＰＣや補助端末を用いて取得することができ、また、取得した情報を基に、楽曲の配信やＣＤ購入を行うこともできる。
【特許文献１】特開２００１−２７３３０５号公報（段落番号〔００２１〕〜〔００２９〕、図１）。
しかし、実際の放送とユーザが取得可能な情報の更新は正確にリンクしておらず、情報は通常一定間隔で更新されるため、ユーザが放送中に気に入った楽曲を見つけ、そこですぐにＰＣ等を使ってその楽曲に関する情報の取得操作を行うと、その時点ではまだユーザが取得できる情報が更新されておらず、気に入った楽曲の１曲前の楽曲の情報を取得してしまう場合がある。そのため、ユーザは、取得可能な情報の更新を待って再度目的の情報の取得操作を行わなければならなかったり、あるいは、初めて聴く曲であるため取得した１曲前の楽曲の情報を正しい情報であると誤認してしまったりする。
また、従来の補助端末を用いた検索システムでは、放送中の楽曲についてリアルタイムに正確な情報を取得することができない。
【発明の開示】
本発明はこのような点に鑑みてなされたものであり、情報の取得を望むユーザがより正確に最新の情報を取得することを可能にするための、情報取得側と放送局等の情報提供側の間の通信方法を提供することを目的とする。
さらに、本発明は、情報の取得を望むユーザがより正確に最新の情報を取得することを可能にするための通信装置およびプログラムを提供することを目的とする。
かかる課題を解決するため、本発明の通信方法においては、受信中の放送番組内のコンテンツに関連する関連情報を要求する要求情報を特定間隔で連続的に送信する第１の送信ステップと、第１の送信ステップで送信された要求情報に対応する関連情報を受信する第１の受信ステップと、第１の受信ステップで受信された関連情報を一時記憶手段に一時的に記憶する一時記憶ステップと、一時記憶ステップで一時的に記憶された関連情報を表示する表示ステップと、コンテンツの関連情報の保管を指示する入力に応じてコンテンツの関連情報を要求する要求情報を送信する第２の送信ステップと、第２の送信ステップで送信された要求情報に対応する関連情報を受信する第２の受信ステップと、第２の受信ステップで受信された関連情報を保管手段に保管する保管ステップとを設けるようにした。
このような通信方法によれば、受信中の放送番組内のコンテンツに関連する関連情報を要求する要求情報が特定間隔で連続的に送信され、その要求情報に対応する関連情報が受信、一時的に記憶され、表示される。そして、コンテンツの関連情報を保管する指示が入力されたときに改めて、コンテンツの関連情報の要求情報が要求され、その要求情報に対応した関連情報が受信され、保管される。
また、本発明の通信方法においては、端末装置が、受信中の放送番組内のコンテンツに関連する関連情報を要求する要求情報を特定間隔で連続的に送信する第１の端末送信ステップと、上記関連情報を提供するサーバが、要求情報に応じた関連情報を端末装置に対して送信する第１のサーバ送信ステップと、端末装置が、第１のサーバ送信ステップにより送信された関連情報を受信する第１の端末受信ステップと、上記端末装置が、第１の端末受信ステップで受信された関連情報を一時記憶手段に一時的に記憶する一時記憶ステップと、端末装置が、一時記憶ステップで一時的に記憶された関連情報を表示する表示ステップと、端末装置が、コンテンツの関連情報の保管を指示する入力に応じてコンテンツの関連情報を要求する要求情報を送信する第２の端末送信ステップと、サーバが、第２の端末送信ステップで送信された要求情報に対応する関連情報を端末装置に対して送信する第２のサーバ送信ステップと、端末装置が、第２のサーバ送信ステップで送信された関連情報を保管手段に保管する保管ステップとを設けるようにした。
このような通信方法によれば、受信中の放送番組内のコンテンツに関連する関連情報を要求する要求情報が特定間隔で連続的に送信され、その要求情報に対応する関連情報が受信、一時的に記憶され、表示される。そして、コンテンツの関連情報を保管する指示が入力されたときに改めて、コンテンツの関連情報の要求情報が要求され、その要求情報に対応した関連情報が受信され、保管される。
さらに、本発明の通信装置においては、受信中の放送番組内のコンテンツに関連する関連情報を要求する要求情報を特定間隔で連続的に送信する第１の送信手段と、第１の送信手段によって送信された要求情報に対応する関連情報を受信する第１の受信手段と、第１の受信手段によって受信された関連情報を一時的に記憶する一時記憶手段と、一時記憶手段によって記憶された関連情報を表示する表示手段と、コンテンツの関連情報の保管を指示する入力に応じてコンテンツの関連情報を要求する要求情報を送信する第２の送信手段と、第２の送信手段によって送信された要求情報に対応する関連情報を受信する第２の受信手段と、第２の受信手段によって受信された関連情報を保管する保管手段とを設けるようにした。
このような通信装置によれば、第１の送信手段が、受信中の放送番組内のコンテンツに関連する関連情報を要求する要求情報を特定間隔で連続的に送信し、第１の受信手段が、送信されたその要求情報に対応する関連情報を受信し、一時記憶手段が、受信されたその関連情報を一時的に記憶し、表示手段が、一時的に記憶されたその関連情報を表示する。さらに、第２の送信手段が、コンテンツの関連情報の保管を指示する入力に応じて関連情報を要求する要求情報を改めて送信し、第２の受信手段が、送信されたその要求情報に対応する関連情報を受信し、保管手段が、受信されたその関連情報を保管する。
さらに、本発明のプログラムにおいては、コンピュータに、受信中の放送番組内のコンテンツに関連する関連情報を要求する要求情報を特定間隔で連続的に送信させ、送信された要求情報に対応する関連情報を受信させ、受信された関連情報を一時記憶手段に一時的に記憶させ、一時記憶手段に一時的に記憶された関連情報を表示させ、コンテンツの関連情報の保管を指示する入力に応じてコンテンツの関連情報を要求する要求情報を送信させ、コンテンツの関連情報の保管を指示する入力に応じて送信された要求情報に対応する関連情報を受信させ、コンテンツの関連情報の保管を指示する入力に応じて送信された要求情報に対応する受信された関連情報を保管手段に保管させる処理を実行させるようにした。
このようなプログラムによれば、受信中の放送番組内のコンテンツに関連する関連情報を要求する要求情報が特定間隔で連続的に送信され、送信されたその要求情報に対応する関連情報が受信されて一時的に記憶され、一時的に記憶されたその関連情報の表示後に、コンテンツの関連情報を保管する指示に応じてコンテンツの関連情報が改めて要求され、受信、保管される。
本発明では、受信中の放送番組内のコンテンツに関連する関連情報を特定間隔で要求、受信して表示し、コンテンツの関連情報の保管を指示する入力があったときに改めて関連情報を要求して受信するようにした。これにより、関連情報のうち、保管を指示した時点の最新の関連情報といった特定の情報を正確に取得することが可能になり、ユーザが情報提供側から誤った情報を取得することが少なくなるため、情報取得側と情報提供側の間の通信が正確かつ円滑に行えるようになる。
【図面の簡単な説明】  図１は、本発明の通信装置の構成図である。
図２は、通常のコンテンツ更新処理のフローを示すフローチャートである。
図３は、関連情報保管指示の入力があったときのフローを示すフローチャートである。
図４は、第１の実施の形態におけるネットワークシステムを示す略線図である。
図５は、端末装置の外観を示す略線図である。
図６は、端末装置のハードウェア構成を示すブロック図である。
図７は、端末装置のプログラムモジュール構成を示す略線図である。
図８は、クリップのフローを示すフローチャートである。
図９は、コンテンツ表示画面の一例を示す略線図である。
図１０は、楽曲選択画面の第１の例を示す略線図である。
図１１は、楽曲選択画面の第２の例を示す略線図である。
図１２は、第２の実施の形態における音楽関連サービス提供システムの全体構成を示す略線図である。
図１３は、クライアント端末の機能回路ブロックによるハードウェア構成を示すブロック図である。
図１４は、ディレクトリ構成を示す略線図である。
図１５は、ポータルサーバの機能回路ブロックによるハードウェア構成を示すブロック図である。
図１６は、音楽データ配信サーバの機能回路ブロックによるハードウェア構成を示すブロック図である。
図１７は、物販サーバの機能回路ブロックによるハードウェア構成を示すブロック図である。
図１８は、ラジオ放送情報配信サーバの機能回路ブロックによるハードウェア構成を示すブロック図である。
図１９は、クライアント端末及びポータルサーバ間のユーザ認証処理手順を示すシーケンスチャートである。
図２０は、クライアント端末及び音楽データ配信サーバ間のユーザ認証処理手順を示すシーケンスチャートである。
図２１は、音楽データ配信サービス提供処理手順を示すシーケンスチャートである。
図２２は、物販サービス提供処理手順を示すシーケンスチャートである。
図２３は、ラジオ放送情報（オンエアリスト情報）配信サービス提供処理手順（１）を示すシーケンスチャートである。
図２４は、ラジオ放送情報（ナウオンエア情報）配信サービス提供処理手順（２）を示すシーケンスチャートである。
【符号の説明】
１……通信装置、２……第１の送信手段、３……第１の受信手段、４……一時記憶手段、５……表示手段、６……第２の送信手段、７……第２の受信手段、８……保管手段、１１……ＣＰＵ、２０……ＲＡＭ、２１……ＨＤＤ、１０００……音楽関連サービス提供システム、１００２……クライアント端末、１００３……ポータルサーバ、１００４……音楽データ配信サーバ、１００５……物販サーバ、１００６……ラジオ放送情報配信サーバ、１０２３……制御部、１０２９……記憶媒体、１０３７……認証処理部、１０３８……認証情報記憶部
【発明を実施するための最良の形態】  以下、本発明の実施の形態を図面を参照して詳細に説明する。
（１）本発明の基本原理
図１は本発明の通信装置の構成例である。
この図１に示す通信装置１は、ネットワーク３０を介して配信される放送番組内の楽曲等のコンテンツに関連する関連情報を取得するための情報取得側の通信装置である。この通信装置１は、そのようなコンテンツに関連する関連情報を要求する要求情報を、ネットワーク３０を介してサーバ等の情報提供側の通信装置に、例えば３０秒間隔といった特定間隔で連続的に送信する第１の送信手段２を有している。
さらに、通信装置１は、第１の送信手段によって送信されたその要求情報に対応する関連情報をネットワーク３０を介して受信する第１の受信手段３、受信されたその関連情報を記憶装置等に一時的に記憶する一時記憶手段４、および一時的に記憶されたその関連情報を表示する表示装置等の表示手段５を有している。
また、この通信装置１は、コンテンツの関連情報を保管すべき指示の入力があったときに、コンテンツの関連情報を要求する要求情報を、サーバ等の情報提供側の通信装置にネットワーク３０を介して改めて送信する第２の送信手段６を有し、さらに、その要求情報に対応する関連情報をネットワーク３０を介して受信する第２の受信手段７、受信されたその関連情報を記憶装置等に記録して保管する保管手段８を有する。
図２および図３は本発明の通信装置における処理のフローを示す図であって、図２は通常のコンテンツ更新処理のフローを示す図、図３は関連情報保管指示の入力があったときのフローを示す図である。
上記構成の通信装置１を用いてコンテンツの関連情報を取得する際には、まず、図２に示すように、第１の送信手段２によって、関連情報を要求する要求情報をサーバ等に特定間隔で連続的に送信し（ステップＳ１）、第１の受信手段３によって、送信されたその要求情報に対応した関連情報を受信する（ステップＳ２）。
通信装置１は、一時記憶手段４によって、第１の受信手段３で受信したその関連情報を一時的に記憶し（ステップＳ３）、それと共に、表示手段５によって、一時的に記憶されたその関連情報を表示する（ステップＳ４）。このように、通信装置１がサーバに連続的にポーリングすることによりリアルタイムで受信中の放送コンテンツの関連情報を所得して表示するシステムについては、より詳細なシーケンス図を用いて第２の実施の形態として後述する。
そして、コンテンツの関連情報の保管指示の入力があったときには、図３に示すように、第２の送信手段６によって、関連情報を要求する要求情報をサーバ等に改めて送信し（ステップＳ１０）、第２の受信手段７によって、送信されたその要求情報に対応する関連情報を受信し（ステップＳ１１）、一時記憶手段４によって、受信したその関連情報を一時的に記憶し（ステップＳ１２）、保管手段８によって、一時的に記憶されたその関連情報を保管する（ステップＳ１３）。
このステップＳ１２，Ｓ１３においては、受信した関連情報を一時的に記憶し、その後、一時的に記憶されている関連情報を保管するようにすることで、例えば、一時記憶手段４に一時的に記憶されている関連情報のうち最終的に保管すべきものだけ保管手段８に保管することが可能になっている。なお、第２の受信手段７によって受信した関連情報は、一時記憶手段４を介さずに保管手段８に直接保管することもできる。
このような通信方法によれば、通常は受信中の放送番組内のコンテンツに関連する関連情報を特定間隔で要求、受信して表示し、関連情報の保管を指示する入力があったときに改めて関連情報を要求する。これにより、コンテンツが表示上更新されていない場合でも、保管指示時点のコンテンツの関連情報を取得することが可能になる。その結果、最新の関連情報を正確に取得することが可能になるので、通信装置１に誤った情報が保管されることが少なくなり、情報取得側と情報提供側の間の通信が正確かつ円滑に行えるようになる。
（２）第１の実施の形態
第１の実施の形態では、上記通信装置１を放送局等のサーバにネットワーク接続された端末装置として用い、サーバがネットワークを介して提供する楽曲の関連情報を、端末装置のユーザが取得できるようにしたネットワークシステムを例にして述べる。ここで、楽曲の関連情報には、楽曲の曲名やアーティスト名のほか、その楽曲が記録されているＣＤ等の名称や番号、発表年、発売元、楽曲が放送された日時等が含まれる。以下、ユーザが楽曲の関連情報を取得するに当たり、関連情報を保管する処理を「クリップ」と呼び、クリップされた関連情報を「クリップ情報」と呼ぶこととする。
図４は第１の実施の形態におけるネットワークシステムを示す図である。
通信装置としての端末装置１０は、ネットワーク３０を介して各種サーバに接続されている。ネットワーク３０は、例えば、インターネットである。サーバとしては、例えば、ＣＤタイトル情報提供サーバ３１、関連情報提供サーバとしての放送局サーバ３２、音楽配信サーバ３３、ＣＤショップサーバ３４、各種総合サービスを行う認証サーバとしての総合サービスサーバ３５などである。
ＣＤタイトル情報提供サーバ３１は、市販されているＣＤに収録されている楽曲の関連情報の配信サービスを行う。
放送局サーバ３２は、ＦＭ放送やＴＶ放送等の放送局が管理するサーバであり、放送する楽曲の関連情報の提供サービスを行う。放送局サーバ３２による関連情報の提供機能は、大別して次の２つに分かれる。第１の機能は、現在放送中の楽曲の関連情報を提供する機能（ナウオンエア）である。第２の機能は、端末装置１０からの要求に応じて、既に放送した楽曲の関連情報のリスト（オンエアリスト）を提供する機能である。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
このように、複数のサーバが、ネットワーク３０上の楽曲または楽曲の集合に関する情報の提供サービスを行っている。すなわち、各サーバが、ネットワーク３０上の楽曲または楽曲集合のソースとして機能している。ここで、各サーバが提供する情報は、通常、例えば一定間隔で更新されていくとともに、必要に応じて、更新前の情報を各サーバが備える記憶装置やさらに別に設けられた更新記録管理用サーバの記憶装置等に蓄積される。
なお、図４に示したサーバは、楽曲または楽曲の集合のソースをネットワーク３０を介して提供する装置の一例である。すなわち、ネットワーク３０上で楽曲または楽曲の集合のソースを他の装置からアクセス可能にしている装置であれば、ネットワーク３０上の楽曲または楽曲の集合のソースとして機能することができる。
また、音楽配信サーバ３３とＣＤショップサーバ３４は、楽曲購入可能サーバであり、楽曲の音声データや楽曲の集合の音声データをオンラインで販売する機能を備えている。ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から音声データをダウンロードできる。また、端末装置１０のユーザは、ＣＤショップサーバ３４に対して購入手続きを行うことで、自宅にＣＤ等を宅配してもらうことが可能となる。
端末装置１０は、ＣＤ１９ａ’、ＭＤ（Ｍｉｎｉ  Ｄｉｓｃ、商標）１９ｂ’、ハードディスクドライブ（ＨＤＤ）２１等の記録媒体に、ローカル上の楽曲または楽曲の集合のソースを保持している。これらのソースは端末装置１０の種類、目的により異なる。
なお、図４に示したローカル上の楽曲または楽曲の集合のソースは一例である。すなわち、端末装置１０のローカルに存在する記録媒体であれば、楽曲または楽曲の集合を記録することで、ローカル上の楽曲または楽曲の集合のソースとして機能させることができる。
また、端末装置１０は、クリップした関連情報を保管するためのクリップ情報記憶装置２１ａを備えている。クリップ情報記憶装置２１ａは、端末装置１０の二次記憶装置であり、ハードディスク、光磁気ディスク、及び不揮発性メモリ等の不揮発性の記憶媒体である。例えば、ＨＤＤ２１等の記憶領域の一部を、クリップ情報記憶装置２１ａとして機能させることができ、フォルダー（クリップフォルダー）として管理することができる。なお、端末装置１０は、クリップを楽曲に対しても、楽曲の集合に対しても行うことができる。これにより、気になる楽曲が多数含まれたＦＭ番組、ＣＤアルバム等については、まるごとクリップすることで、１回のクリップ動作で、気になる楽曲群の関連情報を保管することができる。
ところで、本実施の形態における端末装置１０は、楽曲の再生機能を有するオーディオ機器としての機能を兼ね備えている。
図５は端末装置の外観を示す図である。
図５に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップされた関連情報等が表示される。
リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ，決定キー４２、ファンクション選択キー４３ａ〜４３ｃ、ツールキー４４、戻るキー４５等がある。
方向キー４１ａ〜４１ｄは、例えば、表示装置１７に表示されたカーソルやフォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キーのいずれか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。例えば、ユーザが方向キー４１ａ〜４１ｄを操作して任意のコマンドを選択し、さらに決定キー４２を押すことで、選択されたコマンドに応じた処理が装置本体１０ａ内で実行される。
戻るキー４５は、表示装置１７の表示内容を、直前の状態に戻すためのボタンである。
なお、リモートコントローラ４０には、図５に示したもの以外にも様々な操作キーを設けることができる。例えば、音量調節キー、ＣＤ等の再生キー、停止キーなどである。
次に、端末装置１０の内部構成を説明する。
図６は端末装置のハードウェア構成を示すブロックである。図６に示すような端末装置１０により、楽曲等の様々なソースの管理、記録、再生が可能となる。
ＣＰＵ（Ｃｅｎｔｒａｌ  Ｐｒｏｃｅｓｓｉｎｇ  Ｕｎｉｔ）１１は、起動されたプログラムに基づいて端末装置１０の全体の制御、演算処理を行う。例えばネットワーク３０を介した通信動作、ユーザに対する入出力動作、メディアからのコンテンツ再生やクリップ、ＨＤＤ２１へのコンテンツ記憶やそのための管理、クリップした関連情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、一時記憶手段としてのＲＡＭ（Ｒａｎｄｏｍ  Ａｃｃｅｓｓ  Ｍｅｍｏｒｙ）２０には、ＣＰＵ１１が実行すべきプログラムが展開される。また、ＣＰＵ１１が各種処理を実行する際において必要となるデータ領域、タスク領域としても用いられる。例えば、ＲＡＭ２０には、端末装置１０がサーバから受信した関連情報が一時的に記憶される。
操作入力部１５は、端末装置１０の筺体に設けられた操作キーやジョグダイヤル、タッチパネルなどの各種操作子などを有する。なお、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示手段としての表示装置１７としては、例えば液晶ディスプレイなどの表示デバイスが接続され、各種情報表示が行われる。ＣＰＵ１１が各種動作状態や入力状態、通信状態に応じて表示データを表示処理部１６に供給すると、表示処理部１６は供給された表示データに基づいて表示装置１７に表示動作を実行させる。例えば、表示装置１７には、サーバから配信された関連情報の内容や、クリップ情報の内容が表示される。また、ネットワーク３０を介した楽曲の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを記録することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０あるいは操作入力部１５の所定の操作を行うことで、楽曲を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図５に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式に従って圧縮処理が施された形式の圧縮オーディオデータとされてもよい。また、圧縮方式としても限定されるものではないが、ＡＴＲＡＣ（Ａｄｖａｎｃｅｄ  ＴＲａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式などを採用することができる。
チューナ２７は、例えばＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データをネットワークを介して所定の外部ネットワーク対応機器に送信する。また、ネットワークインタフェース２３は、ネットワークを介して外部ネットワーク対応機器から送信されてきた情報を通信処理部２２に受け渡す。通信処理部２２は受信した情報をＣＰＵ１１に転送する。端末装置１０がネットワーク３０を介して送信する情報には、コンテンツの関連情報、例えばＦＭラジオ等で放送された楽曲の関連情報を要求する要求情報があり、また、端末装置１０が受信する情報には、そのようなコンテンツの関連情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
以上のようなハードウェア構成によって、本実施の形態の処理機能を実現することができる。
なお、端末装置１０の構成は、この図６の構成に限られるものではなく、更に多様に考えられる。例えばＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオコンテンツや、上記ＵＳＢ、ＩＥＥＥ１３９４などのインタフェースを経由して転送されてきたオーディオコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述したデータであり、プログラムモジュールに基づいて端末装置１０が所定の機能を実現することができる。以下の説明では、プログラムモジュールを実行することで実現される機能を、そのプログラムモジュールの名称で呼ぶこととする。
図７は端末装置のプログラムモジュール構成を示す図である。図７に示すように端末装置１０のプログラムモジュールはＯＳ（Ｏｐｅｒａｔｉｎｇ  Ｓｙｓｔｅｍ）上で動作するように構成されている。端末装置１０は、各プログラムモジュールの機能によって、ＣＤタイトル情報提供サーバ３１、放送局サーバ３２、音楽配信サーバ３３、ＣＤショップサーバ３４、各種総合サービスを行う総合サービスサーバ３５、インターネットラジオサーバ３６、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局および再生を行うインターネットラジオ選局再生モジュール１１８が設けられている。著作権保護情報管理モジュール１１４の上位には、楽曲購入および試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６およびハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲の曲名およびアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によってラジオ局が放送する楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示する関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４およびスピーカ部２５を介して出力する。
このような構成の端末装置１０において、サーバから関連情報を受信し、その関連情報をクリップすることができる。なお、クリップと同時に、楽曲の検索や購入処理を行うこ  ともできる。
次に、上記構成の端末装置１０を用いて関連情報をクリップする際の処理について説明する。ここでは、ラジオ局が端末装置１０に対し、無線の通信手段によって番組を放送すると共に、その番組情報をネットワーク３０を介して配信する場合における関連情報のクリップを例にして説明する。
通常、ラジオ局は、無線の通信手段によって各種番組を放送しており、端末装置１０のユーザは、ある特定の番組を聴こうとする場合には、その番組を放送しているラジオ局の放送信号の周波数に合わせ、アンテナ２６によってその放送信号を受信する。放送信号は、チューナ２７によって復調された後、オーディオデータ処理部２４での処理を経てスピーカ部２５から放送音声として出力される。
また、ラジオ局は、このような番組放送と共に、ラジオ局の放送局サーバ３２からその番組の番組情報をネットワーク３０を介して各種端末装置に配信する。端末装置１０のユーザは、その端末装置１０で総合サービスが利用可能であれば、配信されている番組情報のコンテンツを表示装置１７で閲覧することができる。
表示装置１７に表示されるコンテンツは、例えば、図９に示したように、ラジオ局が放送した、あるいは現在放送している楽曲の曲名１０１やアーティスト名１０２のほか、ラジオ局名１０３、ラジオ局の周波数１０４、時刻１０５、番組名１０６および番組司会者名１０７等が表示されたナウオンエアー（Ｎｏｗ  Ｏｎ  Ａｉｒ）情報である。このようなコンテンツに関連する関連情報は、楽曲の曲名１０１やアーティスト名１０２のほか、その楽曲が記録されているＣＤ等のタイトルや番号、発表年、発売元等である。
このようなコンテンツは、通常、端末装置１０において特定の時間間隔で更新される。その際には、端末装置１０は、まず、コンテンツの関連情報を要求する要求情報を、例えば３０秒間隔といった一定間隔で放送局サーバ３２に連続的に送信する。要求情報を受信した放送局サーバ３２は、その要求情報に対応する関連情報を、ネットワーク３０を介して端末装置１０に送信する。端末装置１０は、受信した関連情報を、例えばＲＡＭ２０に一時的に記憶する。ここで、当該関連情報を一時的に記憶する記憶媒体はＲＡＭに限定されるものではない。本装置の電源が遮断されたときに関連情報は消去されても構わないため、揮発性の記憶媒体でよいが、不揮発性の記憶媒体でもよい。端末装置１０の表示装置１７には、ＲＡＭ２０等に一時的に記憶された関連情報の内容を用いて表示が行われ、新たな関連情報が記憶されるたびにコンテンツ表示画面が更新される。
なお、放送局サーバ３２では、端末装置１０側の更新処理とは別に、配信する関連情報を一定間隔で更新し、その際、更新前の関連情報はＨＤＤ２１等の記憶装置に記憶していく。
このように、放送の進行と共にコンテンツが更新されていく中で、ユーザは、放送を聴きながら気に入った楽曲が放送されたときに、その楽曲の関連情報をクリップすることができる。
図８はクリップのフローを示す図である。また、図９はコンテンツ表示画面の一例、図１０は楽曲選択画面の第１の例、図１１は楽曲選択画面の第２の例である。
クリップする際には、ユーザは、まず、リモートコントローラ４０あるいは操作入力部１５の操作によって、表示中の楽曲を選択する（ステップＳ２０）。図９に示す例では、ユーザによって例えばリモートコントローラ４０のツールキー４４が押されると、ツールメニュー１００内に「ツール」、「設定」、「編集」、「表示」、「詳細情報」、「モード切り換え」、「クリップ」の各コマンドが表示される。ここで、ユーザが方向キー４１ａまたは方向キー４１ｂを操作してフォーカス等を「クリップ」に合わせて決定キー４２を押せば、表示装置１７に現在表示されている楽曲（タイトルＡ，アーティストａ）が選択される。
ただし、表示装置１７に表示されているコンテンツの内容は、端末装置１０における更新が一定間隔で行われるため、現在の放送内容と一致している場合もあれば一致していない場合もある。したがって、ここでユーザが選択した表示中の楽曲が、放送を聴いていてユーザが気に入った楽曲であるとは限らない。例えば、放送中、ある楽曲が演奏され始めてすぐに、ユーザがこれを気に入ってその関連情報をクリップしようとそのとき表示中の楽曲を選択すると、その表示中の楽曲が、ユーザがクリップしようとした現在放送中の楽曲の１曲前に放送された楽曲である場合がある。
ユーザによって表示中の楽曲が選択されると、端末装置１０には、関連情報のクリップの指示が入力される。そして、この入力に応じ、通常のコンテンツ更新処理とは別に改めてコンテンツの関連情報を要求する要求情報を、ネットワーク３０を介して放送局サーバ３２に送信する（ステップＳ２１）。これにより、放送局サーバ３２にクリップ動作発生が通知される。
クリップ動作発生の通知を受けて、放送局サーバ３２では、その要求情報に対応する関連情報として、記憶装置等に蓄積されている更新前の関連情報を検索し、現在放送中の楽曲の関連情報とこの楽曲の前に放送された直近のＮ件の楽曲の関連情報を端末装置１０に送信する（ステップＳ２２）。その際、関連情報を要求する楽曲の件数Ｎは、端末装置１０側でユーザがあらかじめ任意に設定しておくことができる。
端末装置１０は、合計Ｎ＋１件の関連情報を受信すると、例えばこれらの関連情報をＲＡＭ２０等に一時的に記憶し、図１０に例示するように、３曲の各楽曲の放送開始時刻１０８、およびこれらの曲名（タイトルＡ，Ｂ，Ｃ）とアーティスト名（アーティストａ，ｂ，ｃ）のリスト（以下「楽曲リスト」という。）１０９を表示する（ステップＳ２３）。なお、楽曲リスト１０９に複数の楽曲が含まれている場合、楽曲リスト１０９はオンエアーリストになっている。
楽曲リスト１０９には、クリップ動作を行った時点で表示されていた楽曲と、クリップ動作以前に表示されていた楽曲が含まれている。さらに、そのクリップ動作を行った時点で、放送局サーバ３２が有する関連情報が現在放送中の楽曲の関連情報に更新されている場合には、更新後の楽曲が楽曲リスト１０９に含まれる。
例えば、図９に示した楽曲選択時点で表示されていた楽曲（タイトルＡ，アーティストａ）が、楽曲選択時点で放送されていた楽曲と一致している場合には、図１０に示したように、楽曲リスト１０９のいちばん上にクリップしようとしていた楽曲（タイトルＡ，アーティストａ）が表示される。その下には、その楽曲より以前に放送された楽曲（タイトルＢ，アーティストｂ、タイトルＣ，アーティストｃ）が、放送開始時刻の新しいものから順に上から表示される。
一方、図９に示した楽曲選択時点で表示されていた楽曲（タイトルＡ，アーティストａ）が、楽曲選択時点で放送されていた楽曲（タイトルＤ，アーティストｄ）の１曲前の楽曲であった場合には、放送局サーバ３２での更新が済んでいれば、図１１に示したように、楽曲リスト１０９のいちばん上にクリップしようとしていた楽曲（タイトルＤ，アーティストｄ）が表示される。その下に、それ以前に放送された楽曲（タイトルＡ，アーティストａ、タイトルＢ，アーティストｂ）が、放送開始時刻の新しいものから順に上から表  示される。
したがって、ユーザは、楽曲リスト１０９を閲覧して、放送開始時刻、曲名およびアーティスト名から自分が本来クリップしようとした、気に入っていた楽曲を特定することができ、楽曲リスト１０９の中で最新の楽曲が本来クリップしようとしていた楽曲であると認識できる。
ユーザは、リモートコントローラ４０等を用いて、最終的にクリップしたい楽曲を選択する。例えば、楽曲リスト１０９の表示中に、リモートコントローラ４０の方向キー４１ａ，４１ｂと決定キー４２を使って楽曲を選択する。
また、端末装置１０において、フォーカス等を楽曲リスト１０９の表示と同時にリストのいちばん上に表示される最新の楽曲に合わせるようにしておけば、ユーザがリモートコントローラ４０の決定キー４２を押すだけで、最新の楽曲を選択することが可能になる。その場合、ユーザは、放送を聴いていて、ステップＳ２０で楽曲を選択したときから、表示装置１７の表示を見なくても最新の楽曲を選択することが可能になる。
端末装置１０は、表示された楽曲リスト１０９の中から楽曲が選択されると（ステップＳ２４）、選択された楽曲の関連情報をクリップ情報記憶装置２１ａのクリップフォルダーに記録し、関連情報のクリップを完了する（ステップＳ２５）。
なお、楽曲リスト１０９からは、ひとつの楽曲だけでなく、複数の楽曲を選択することもできる。これにより、複数の関連情報を同時にクリップすることができる。
以上の構成によれば、クリップ動作を行った時点すなわちクリップを指示する入力があった時点で放送局サーバ３２の関連情報が放送中の楽曲の関連情報に更新されている限り、最新の関連情報をリアルタイムに取得することが可能になる。したがって、誤って１曲前の楽曲の関連情報をクリップしてしまう機会が少なくなり、本来クリップすべきであった目的の関連情報を正確にクリップすることが可能になる。また、端末装置１０側での通常のコンテンツ更新処理を待たずに最新の関連情報を取得することが可能になる。
（３）第２の実施の形態
第２の実施の形態では、図２で説明したような、通信装置がサーバに連続的にポーリングすることによりリアルタイムで受信中の放送コンテンツの関連情報を取得し、表示することができるサービスが、複数のサービスサーバのうちのひとつのサーバにより実現されるようなサービスシステムについて説明する。本サービスシステムはシングルサインオン機能を有している。なお、クリップの処理に関しては上述した第１の実施の形態と同様であるため、その説明は省略する。
（３−１）システム構成
図１２において、１０００は全体としてサービスシステムとしての音楽関連サービス提供システムを示し、この音楽関連サービス提供システム１０００の運営業者と契約しているユーザのクライアント端末１００２と、サービスサーバとしての当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
なお、この第２の実施の形態におけるクライアント端末１００２は第１の実施の形態における端末装置１０に対応し、ポータルサーバ１００３は総合サービスサーバ３５に対応し、音楽データ配信サーバ１００４は音楽配信サーバ３３に対応し、物販サーバ１００５はＣＤショップサーバ３４に対応し、ラジオ放送情報配信サーバ１００６は放送局サーバ３２に対応し、ネットワークＮＴ１０００はネットワーク３０に対応している。
（３−２）クライアント端末１００２の構成
（３−２−１）クライアント端末１００２の機能回路ブロック構成
次に通信装置としてのクライアント端末１００２の機能回路ブロックによるハードウェア構成を説明する。図１３に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信したラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信した圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信したＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。なお、このラジオ放送情報は、上述した第１の実施の形態における関連情報と対応するものである。
ところで、上述の第１の実施の形態において説明した端末装置１０のプログラムモジュール（図７）のうち、ＨＴＴＰメッセージプログラム１１１及びコミュニケータプログラム１１２は、この第２の実施の形態におけるクライアント端末１００２の通信制御部１０３２（図１３）と同様の機能を実現可能なプログラム、モジュールである。
またコンテンツ再生モジュール１１３（図７）は、クライアント端末１００２のエンコーダ／デコーダ部１０３４（図１３）と同様の機能を実現可能なプログラムモジュールである。
さらに著作権保護情報管理モジュール１１４（図７）は、クライアント端末１００２の著作権管理部１０３５（図１３）と同様の機能を実現可能なプログラムモジュールである。
さらにインターネットラジオ選局再生モジュール１１８（図７）は、クライアント端末１００２の制御部１０２３及び音声制御部１０２６（図１３）と同様の機能を実現可能なプログラムモジュールである。
さらに楽曲購入再生モジュール１１９（図７）は、クライアント端末１００２の制御部１０２３及び音声制御部１０２６（図１３）と同様の機能を実現可能なプログラムモジュールである。
さらにＸＭＬブラウザ１５１（図７）は、クライアント端末１００２の入力処理部１０２１及びページ情報生成部１０３６（図１３）と同様の機能を実現可能なプログラムモジュールである。
さらにハードディスクコンテンツコントローラ１１７及びデータベースアクセスモジュール１１５並びにコンテンツデータアクセスモジュール１１６（図７）は、クライアント端末１００２の制御部１０２３（図１３）と同様の機能を実現可能なプログラムモジュールである。
さらにライブラリ１３０の認証ライブラリ１３１（図７）は、クライアント端末１００２の認証処理部１０３７及び認証情報記憶部１０３８（図１３）と同様の機能を実現可能なプログラムモジュールである。
さらにライブラリ１３０のクリップライブラリ１３２（図７）は、クライアント端末１００２の制御部１０２３（図１３）と同様の機能を実現可能なプログラムモジュールである。
さらに関連情報表示モジュール１２０（図７）は、クライアント端末１００２のラジオ放送表示制御部１０３９（図１３）と同様の機能を実現可能なプログラムモジュールである。
さらにチューナ選局再生／録音モジュール１２１（図７）は、クライアント端末１００２の制御部１０２３及び音声制御部１０２６並びにチューナ部１０３１（図１３）と同様の機能を実現可能なプログラムモジュールである。
さらにオーディオユーザインタフェース１５２（図７）は、クライアント端末１００２の入力処理部１０２１及び制御部１０２３並びに表示制御部１０２４（図１３）と同様の機能を実現可能なプログラムモジュールである。
さらにＣＤ再生モジュール１４１（図７）は、クライアント端末１００２の音声制御部１０２６及び外部記録媒体記録再生部１０２８（図１３）と同様の機能を実現可能なプログラムモジュールである。
さらにＨＤＤ再生モジュール１４２（図７）は、クライアント端末１００２の制御部１０２３及び音声制御部１０２６（図１３）と同様の機能を実現可能なプログラムモジュールである。
従って、上述した第１の実施の形態におけるハードウェア回路ブロック構成の端末装置１０でも、ＣＰＵ１１が上述の各種プログラムモジュールに従って、この第２の実施の形態における機能回路ブロックのクライアント端末１００２と同様の処理を実行することができる。
（３−２−２）ディレクトリ管理
クライアント端末１００２の制御部１０２３は、記憶媒体１０２９に対して記憶するコンテンツデータを、図１４に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（３−３）ポータルサーバ１００３の機能回路ブロック構成
次に、図１５を用いて認証サーバとしてのポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（３−４）音楽データ配信サーバ１００４の機能回路ブロック構成
次に、図１６を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信すると、当該受信したダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（３−５）物販サーバ１００５の機能回路ブロック構成
次に、図１７を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信すると、当該受信したメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（３−６）ラジオ放送情報配信サーバ１００６の機能回路ブロック構成
次に、図１８を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−７）各サーバの処理概要
次に図１９乃至図２４に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（３−７−１）クライアント端末１００２及びポータルサーバ１００３間のユーザ認証処理手順
まず図１９を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信した認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信したユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信したその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信した認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信した、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（３−７−２）クライアント端末１００２及び各サーバ１００４乃至１００６間のユーザ認証処理手順
次に、図２０において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図１９について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ精報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信したサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信した認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信した認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信したユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８にショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８にショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信した認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信した有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信した認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信したサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信した有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（３−７−３）音楽関連サービス提供処理
続いて図２１乃至図２４において、図２０について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（３−７−３−１）音楽データ配信サービス提供処理手順
まず図２１を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信したサービスセッションＩＤ情報等と、認証情報記憶部１０７７にすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信した有効期限の延長されているサービスセッションＩＤ情報等をその有効期限が延長される前のサービスセッションＩＤ情報等に上書きするようにして一時記憶することにより、当該認証情報記憶部１０３８にすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（３−７−３−２）物販サービス提供処理手順
次に図２２を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信した有効期限の延長されているサービスセッションＩＤ情報等をその有効期限が延長される前のサービスセッションＩＤ情報等に上書きするようにして一時記憶することにより、当該認証情報記憶部１０３８にすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信した有効期限の延長されているサービスセッションＩＤ情報等をその有効期限が延長される前のサービスセッションＩＤ情報等に上書きするようにして一時記憶することにより、当該認証情報記憶部１０３８にすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５にそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（３−７−３−３）オンエアリスト情報配信サービス提供処理手順
次に図２３を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信したサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報年成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信した有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（３−７−３−４）ナウオンエア情報配信サービス提供処理手順
次に図２４を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する繰作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信したユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によりクライアント端末１００２に対して発行された認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信した認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信したラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信した認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信した有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図２０について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図２０について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信したサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報を当該制御部１０２３内のＲＡＭ（Ｒａｎｄｏｍ  Ａｃｃｅｓｓ  Ｍｅｍｏｒｙ、図示せず）に一時記憶させ、ラジオ放送表示制御部１０３９に送出する。
これにより認証処理部１０３７は、制御部１０２３の制御のもと認証情報記憶部１０３８において、ラジオ放送情報配信サーバ１００６から受信した有効期限の延長されているサービスセッションＩＤ情報等をその有効期限が延長される前のサービスセッションＩＤ情報等に上書きするようにして一時記憶することにより、当該認証情報記憶部１０３８にすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に（例えば３０秒間隔で）繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
またこの第２の実施の形態においては、クライアント端末１００２のユーザが、ラジオ放送を聴きながら気に入った楽曲が放送されたときに、その楽曲のラジオ放送情報（すなわちナウオンエア情報）をクリップする際にも、当該クライアント端末１００２、ポータルサーバ１００３及びラジオ放送情報配信サーバ１００６がステップＳＰ１０７８乃至ステップＳＰ１０８２の処理を行う。
ただしクライアント端末１００２の制御部１０２３は、ユーザからクリップを指示する入力を受け付けた場合、ステップＳＰ１０８２の処理において、第１の実施の形態と同様に、取得したナウオンエア情報を記憶媒体１０２９に記憶させる。
以上の構成によれば、この第２の実施の形態による音楽関連サービス提供システム１０００においても、第１の実施の形態と同様の効果を得ることができる。
なお、上述した第１及び第２の実施の形態においては、放送局サーバ３２及びラジオ放送情報配信サーバ１００６が提供する関連情報を端末装置１０及びクライアント端末１００２でクリップする場合について示したが、当該端末装置１０及びクライアント端末１００２では、その他のサーバが提供する関連情報をクリップすることもできる。すなわち、ユーザは、関連情報をクリップ可能な楽曲が表示装置１７及び表示部１０２５に表示されているときに、その楽曲を選択してクリップ動作を開始すれば、対応する関連情報がクリップ情報記憶装置２１ａ及び記憶媒体１０２９に保管される。
端末装置１０及びクライアント端末１００２内に保管されたクリップ情報は、当該端末装置１０及びクライアント端末１００２からＣＤタイトル情報提供サーバ３１、音楽配信サーバ３３、ＣＤショップサーバ３４、音楽データ配信サーバ１００４及び物販サーバ１００５等にアクセスして、楽曲の検索、音声データの購入、ＣＤやＤＶＤの購入等に利用することができる。
また、上述した第１及び第２の実施の形態において説明した各処理機能は、端末装置１０のＣＰＵ１１及びクライアント端末１００２の制御部１０２３が実行すべきプログラムによって実現される。このようなプログラムは、例えばＨＤＤ２１、ＲＯＭ１３及び記憶媒体１０２９にインストールするようにして格納される。
あるいは、プログラムは、フレキシブルディスク、ＣＤ−ＲＯＭ（Ｃｏｍｐａｃｔ  Ｄｉｓｃ  −  Ｒｅａｄ  Ｏｎｌｙ  Ｍｅｍｏｒｙ）、ＭＯ（Ｍａｇ−ｎｅｔｏ−Ｏｐｔｉｃａｌ）ディスク、ＤＶＤ、磁気ディスク、半導体メモリなどのリムーバブル記録媒体に、一時的あるいは永続的に格納しておくことができる。このようなリムーバブル記録媒体は、いわゆるパッケージソフトウェアとして提供することができる。
例えば、第１の実施の形態であれば、メディアドライブ１９ａ，１９ｂが対応するメディアなどにプログラムを記録し、パッケージソフトウェアとして提供することができる。これにより、端末装置１０では、メディアドライブ１９ａ，１９ｂによりメディアからプログラムを読み出し、ＨＤＤ２１やＲＯＭ１３に記憶させることでインストールできる。また、このようなパッケージソフトウェアとすることで、例えば汎用のパーソナルコンピュータにも、本発明が適用されたシステムのプログラムをインストールすることは可能になる。もちろん、第２の実施の形態においても、プログラムをパッケージソフトウェアとしてパーソナルコンピュータ等にインストールしても良い。
また、プログラムは、上記のようなリムーバブル記録媒体からインストールするほか、プログラムを記憶しているサーバ等から、ＬＡＮ（Ｌｏｃａｌ  Ａｒｅａ  Ｎｅｔｗｏｒｋ）やインターネットなどのネットワークを介してダウンロードすることもできる。
さらには、本発明が適用された処理機能を後から追加するためのアップデートプログラムを構成し、このアップデートプログラムをパッケージソフトウェアとして配布したり、ネットワーク上で配信したりするようにしてもよい。ユーザは、このアップデートプログラムを入手して、既存のシステムがインストールされている環境に対して、このアップデートプログラムをインストールすればよい。
また上述した第２の実施の形態においては、第１の送信手段、第１の受信手段、第２の送信手段、及び第２の受信手段としての通信制御部１０３２と、一時記憶手段としての制御部１０２３と、表示手段としての表示部１０２５と、保管手段としての記憶媒体１０２９とを用いて通信装置としてのクライアント端末１００２を構成するようにした場合について述べたが、本発明はこれに限らず、他の種々の回路構成による第１の送信手段と、第１の受信手段と、第２の送信手段と、第２の受信手段と、一時記憶手段と、表示手段と、保管手段とによって通信装置を構成するようにしても良い。
さらに上述した第１及び第２の実施の形態においては、端末装置１０及びクライアント端末１００２が受信可能な放送としてラジオ局から放送されるラジオ放送を適用したが、これに限らず、端末装置１０及びクライアント端末１００２がインターネットラジオ放送や衛星ラジオ放送を受信して、その関連情報及びラジオ放送情報を取得するようにしたり、或いはテレビジョン用の放送局から放送されるテレビジョン放送を受信し、そのテレビジョン放送のテレビジョン番組に関する各種放送情報等をネットワーク上のサーバから取得するようにしても良い。
さらに上述した第１及び第２の実施の形態においては、ハードウェア回路ブロック、機能回路ブロック及びプログラムモジュールを端末装置１０及びクライアント端末１００２に実装した場合について述べたが、本発明はこれに限らず、これらを携帯電話機やパーソナルコンピュータ等、端末装置１０及びクライアント端末１００２以外の種々の端末に実装するようにしてもよく、これらハードウェア回路ブロック、機能回路ブロック及びプログラムモジュールを実装した端末であれば、上述した端末装置１０及びクライアント端末１００２と同様の処理を実現することができる。
産業上の利用の可能性
本発明は、音楽関連サービスを提供するネットワークシステム以外に、例えば映像コンテンツを提供するサービス等の種々のネットワークシステムでも利用できる。
【図１】
2005006613.tif 000003
【図２】
2005006613.tif 000004
【図３】
2005006613.tif 000005
【図４】
2005006613.tif 000006
【図５】
2005006613.tif 000007
【図６】
2005006613.tif 000008
【図７】
2005006613.tif 000009
【図８】
2005006613.tif 000010
【図９】
2005006613.tif 000011
【図１０】
2005006613.tif 000012
【図１１】
2005006613.tif 000013
【図１２】
2005006613.tif 000014
【図１３】
2005006613.tif 000015
【図１４】
2005006613.tif 000016
【図１５】
2005006613.tif 000017
【図１６】
2005006613.tif 000018
【図１７】
2005006613.tif 000019
【図１８】
2005006613.tif 000020
【図１９】
2005006613.tif 000021
【図２０】
2005006613.tif 000022
【図２１】
2005006613.tif 000023
【図２２】
2005006613.tif 000024
【図２３】
2005006613.tif 000025
【図２４】
2005006613.tif 000026
【国際調査報告】
2005006613.tif 000027
2005006613.tif 000028
2005006613.tif 000029
2005006613.tif 000030